(57)【要約】【課題】インターホン副親機にインターホン親機に対する操作指示情報を記憶させる必要のないインターホンシステムを提供する。【解決手段】インターホン副親機２の表示装置２５の画面上に表示された選択釦Ｂ１…等がタッチ操作されたときにＣＰＵ部２４がその座標を位置座標信号として伝送線Ｌｘを介してインターホン親機１に伝送する。インターホン親機１のＣＰＵ部６はインターホン副親機２から受け取った位置座標信号に対応した操作指示情報に基づいて映像処理回路５を制御して表示画面の切り替えや画像の録画、再生等を行う。このため、インターホン副親機２ではインターホン親機１に対する操作指示情報、例えば、複数の選択釦Ｂ１…がそれぞれどのような機能と対応しているかという情報、を記憶させる必要がなく、このような操作指示情報を記憶するためのメモリの増設やメモリの容量アップに伴うコストの上昇を防ぐことができる。【選択図】        図１
2004297376.tif 000002
【特許請求の範囲】
【請求項１】
来訪者を撮像する撮像部を具備して宅外に設置される１乃至複数のインターホン子器と、インターホン子器で撮像された来訪者の画像を表示する表示装置を具備して宅内に設置されるインターホン親機並びに１乃至複数のインターホン副親機とで構成され、インターホン親機は、所定の画像を生成する画像生成手段と、インターホン子器で撮像された画像並びに画像生成手段で生成された画像を表示装置に表示させるとともにこれらの画像を伝送線を介してインターホン副親機に伝送する画像処理手段と、操作指示情報に基づいて画像生成手段並びに画像処理手段を制御する制御手段とを備え、インターホン副親機は、伝送線を介して送られてくる画像を表示装置に表示させる画像表示手段と、表示装置の表示画面上で任意の位置を指示するとともに指示された位置の座標を伝送線を介してインターホン親機に伝送する位置座標入力手段とを備え、インターホン親機の制御手段は、伝送線を介してインターホン副親機から送られてくる位置座標で指示された位置に対応した前記操作指示情報に基づいて画像生成手段並びに画像処理手段を制御することを特徴とするインターホンシステム。
【請求項２】
インターホン親機並びにインターホン副親機の画像処理手段は、表示装置における表示領域の大きさを変更可能であって、インターホン副親機の位置座標入力手段は、位置座標とともに表示領域の大きさを示す表示領域情報をインターホン親機に伝送し、インターホン親機の制御手段は、表示領域情報を参照して位置座標を補正することを特徴とする請求項１記載のインターホンシステム。
【請求項３】
インターホン親機並びにインターホン副親機の画像処理手段は、表示装置に対して複数の画像を縮小して一覧で表示するサムネイル表示機能を有し、インターホン副親機の位置座標入力手段は、表示されている複数の縮小画像の何れかを指示したときに当該画面上の位置座標をインターホン親機に伝送し、インターホン親機の制御手段は、インターホン副親機から送られてくる位置座標から指示された縮小画像を特定するとともに特定した縮小画像に対応した前記操作指示情報に基づいて画像生成手段並びに画像処理手段を制御することを特徴とする請求項１又は２記載のインターホンシステム。
【発明の詳細な説明】
【０００１】
【発明の属する技術分野】
本発明は、住宅用のインターホンシステムに関するものである。
【０００２】
【従来の技術】
従来、この種のインターホンシステムとしては、来訪者を撮像するテレビカメラを具備して宅外に設置される１乃至複数のインターホン子器と、インターホン子器で撮像された来訪者の画像を表示する表示装置を具備して宅内に設置されるインターホン親機並びに１乃至複数のインターホン副親機とで構成され、インターホン子器とインターホン親機との通話時にインターホン子器のテレビカメラで撮像した来訪者の画像をインターホン親機の表示装置に映し出して来訪者を確認することができるとともに、インターホン親機に接続されたインターホン副親機でインターホン子器からの呼出に応答した場合にはインターホン副親機の表示装置に来訪者の画像を映し出すことができるものがあった（例えば、特許文献１参照）。
【０００３】
また、近年のインターホンシステムでは多機能化が進んでおり、各種の機能に対応する操作スイッチを設けると操作スイッチの数が大幅に増えて器体が大型化するなどの問題があったため、例えば、インターホン親機の内部で生成したアイコンや操作釦の画像を表示装置の画面に表示し、器体に設けた操作釦（いわゆる十字キーなど）を操作して上記アイコンや操作釦に対応する機能を選択するようにしたり、あるいは表示装置の画面にタッチパネルを設けてアイコンや操作釦が表示されている位置に指を触れることでタッチパネルを操作してアイコンや操作釦に対応する機能を選択するようにしたものもあった。そして、これらのアイコンや操作釦の画像データをインターホン親機からインターホン副親機に伝送してインターホン副親機の表示装置に表示させることにより、インターホン副親機には表示用の画像を記憶する画像メモリやアイコンや操作釦の画像を生成するための回路が不要となり、低コストでシステムが構成できるという利点があった。
【０００４】
【特許文献１】
特開２００２−４４６５１号公報（第４−５頁、第１図）
【０００５】
【発明が解決しようとする課題】
ところで上記従来のインターホンシステムでは、インターホン親機から伝送されたアイコンや操作釦の画像データをインターホン副親機の表示装置で表示し、表示装置の画面上でそれらのアイコンや操作釦が操作されたときには、インターホン副親機において各々のアイコンや操作釦と各種機能との対応関係を判断してその機能に応じた制御信号を伝送線を介してインターホン親機に伝送するようになっていた。したがって、インターホン副親機では多数のアイコンや操作釦と各種機能を選択するためのコマンドとの対応関係を記憶しておく必要があり、そのためのメモリを備えるか、あるいは他の用途と共通に使用するメモリの容量を増やさなければならず、システムのコストアップにつながっていた。
【０００６】
本発明は上記事情に鑑みて為されたものであり、その目的は、インターホン副親機にインターホン親機に対する操作指示情報を記憶させる必要のないインターホンシステムを提供することにある。
【０００７】
【課題を解決するための手段】
請求項１の発明は、上記目的を達成するために、来訪者を撮像する撮像部を具備して宅外に設置される１乃至複数のインターホン子器と、インターホン子器で撮像された来訪者の画像を表示する表示装置を具備して宅内に設置されるインターホン親機並びに１乃至複数のインターホン副親機とで構成され、インターホン親機は、所定の画像を生成する画像生成手段と、インターホン子器で撮像された画像並びに画像生成手段で生成された画像を表示装置に表示させるとともにこれらの画像を伝送線を介してインターホン副親機に伝送する画像処理手段と、操作指示情報に基づいて画像生成手段並びに画像処理手段を制御する制御手段とを備え、インターホン副親機は、伝送線を介して送られてくる画像を表示装置に表示させる画像表示手段と、表示装置の表示画面上で任意の位置を指示するとともに指示された位置の座標を伝送線を介してインターホン親機に伝送する位置座標入力手段とを備え、インターホン親機の制御手段は、伝送線を介してインターホン副親機から送られてくる位置座標で指示された位置に対応した前記操作指示情報に基づいて画像生成手段並びに画像処理手段を制御することを特徴とする。
【０００８】
請求項２の発明は、請求項１の発明において、インターホン親機並びにインターホン副親機の画像処理手段は、表示装置における表示領域の大きさを変更可能であって、インターホン副親機の位置座標入力手段は、位置座標とともに表示領域の大きさを示す表示領域情報をインターホン親機に伝送し、インターホン親機の制御手段は、表示領域情報を参照して位置座標を補正することを特徴とする。
【０００９】
請求項３の発明は、請求項１又は２の発明において、インターホン親機並びにインターホン副親機の画像処理手段は、表示装置に対して複数の画像を縮小して一覧で表示するサムネイル表示機能を有し、インターホン副親機の位置座標入力手段は、表示されている複数の縮小画像の何れかを指示したときに当該画面上の位置座標をインターホン親機に伝送し、インターホン親機の制御手段は、インターホン副親機から送られてくる位置座標から指示された縮小画像を特定するとともに特定した縮小画像に対応した前記操作指示情報に基づいて画像生成手段並びに画像処理手段を制御することを特徴とする。
【００１０】
【発明の実施の形態】
以下、図面を参照して本発明の実施形態を詳細に説明する。
【００１１】
本実施形態のインターホンシステムは、図１に示すように来訪者を撮像する撮像部を具備して宅外に設置される複数のインターホン子器（いわゆるドアホン子器）３と、インターホン子器３で撮像された来訪者の画像を表示する表示装置を具備して宅内に設置されるインターホン親機１並びに複数のインターホン副親機２とで構成される。
【００１２】
インターホン子器３は、図４に示すようにマイクロホン３１並びにスピーカ３２と、マイクロホン３１で集音された音声を電気信号（音声信号）に変換して出力するとともに入力される電気信号（音声信号）に応じてスピーカ３２を鳴動させる音声回路３３と、レンズ等の光学系並びにＣＣＤ等の撮像素子を具備する撮像部（テレビカメラ）３４と、撮像部３４から出力される映像信号を伝送に適した信号形態に変換（例えば、周波数変調）する映像回路３５と、呼出釦（図示せず）の操作を検出して検出信号を出力する操作部３６と、操作部３６から検出信号が出力されたときに呼出信号を出力する呼出回路３７と、音声信号、映像信号並びに呼出信号を周波数多重変調し信号線Ｌｓを介してインターホン親機１との間で送受信するインタフェース回路３８と、信号線Ｌｓを介してインターホン親機１から電源供給を受けて内部の動作電源を作成する電源回路３９とを備える。
【００１３】
インターホン親機１は、図２に示すようにマイクロホン１６及びスピーカ１７、音声処理回路４、映像処理回路５、ＣＰＵ部６、表示装置７、操作部８、ＲＡＭ９、ＲＯＭ１０、信号処理回路１１、第１のインタフェース回路１２、第２のインタフェース回路１３、呼出検出回路１４、フラッシュＲＯＭ１５を備える。ＣＰＵ部６はインターホン親機１全体の信号処理並びに制御を担い、第１のインタフェース回路１２は信号線Ｌｓを介してインターホン子器３との間で周波数多重変調された音声信号、映像信号並びに呼出信号を送受信する。音声処理回路４は、音声スイッチやエコーキャンセラ等を具備してインターホン子器３及びインターホン副親機２との間で同時通話、例えばハンズフリーの同時通話、を可能とし、呼出検出回路１４は、信号線Ｌｓを介してインターホン子器３から送信される呼出信号を検出して呼出検出信号をＣＰＵ部６に出力する。
【００１４】
映像処理回路５は、第１のインタフェース回路１２で受信する映像信号を復調する映像信号復調機能、復調されたアナログの映像信号をデジタル画像データに変換するＡ／Ｄ変換機能、前記画像データの所定位置に付加して表示したりあるいは単独で表示するためのピクト画像等の画像データを生成して前記画像データと合成する画像生成・合成機能、映像信号から変換された前記画像データの画質補正やエフェクト処理を行うなどして、液晶ディスプレイからなる表示装置７及びインターホン副親機２に設けられた液晶ディスプレイからなる表示装置２５で映し出すための画像データを生成する画像生成機能、生成された画像データをアナログの映像信号に変換するＤ／Ａ変換機能、この映像信号を周波数変調する映像信号変調機能を有している。映像処理回路５で変調されたアナログの映像信号は、音声処理回路４から出力される音声信号や信号処理回路１１から出力される制御信号とともに第２のインタフェース回路１３にて周波数多重変調され、伝送線Ｌｘを介して各インターホン副親機２に伝送される。また信号処理回路１１は、第２のインタフェース回路１３で受信する周波数多重された信号からＦＳＫ信号で構成された位置座標信号（後述する）を弁別して取り出すとともにＣＰＵ部６で生成された制御コマンドを第２のインタフェース回路１３から伝送線Ｌｘを介してインターホン副親機２に伝送する機能を有している。
【００１５】
操作部８は通話を開始する際に操作される通話釦８ａや、表示装置７の表示画面上にメニュー表示を行う際に操作されるメニュー表示釦８ｂ等を有し、これらの釦が操作されたときに各々の釦に対応した操作信号をＣＰＵ部６に出力する。なお、ＣＰＵ部６で実行するプログラムや映像処理回路５でピクト画像等を生成するために必要な画像生成データ等はＲＯＭ１０に格納されており、ＣＰＵ部６がプログラムの実行時に使用する作業領域や画像データを一時的に記憶する記憶領域はＲＡＭ９によって提供されている。また、本実施形態のインターホン親機１はインターホン子器３から受信する映像信号や音声信号を記録する、すなわち、インターホン子器３の呼出釦を操作した来訪者の映像や音声を録画・録音する機能を有しており、録画・録音のための記憶手段として書換可能な不揮発性メモリであるフラッシュＲＯＭ１５を備えている。
【００１６】
表示装置７は液晶ディスプレイ及び液晶ディスプレイのドライブ回路の他に、液晶ディスプレイの表示画面に設けられるタッチパネルを具備している。したがって、ＣＰＵ部６においては、映像処理回路５で生成されたアイコンや操作釦の画像が表示装置７の画面に表示されている状態でタッチパネルが操作されたときに、タッチパネルから取り込んだ操作位置の座標情報とアイコン及び操作釦の表示位置の情報とに基づいて何れのアイコンあるいは操作釦が操作されたかを判別し、操作されたアイコン又は操作釦に対応する操作指示情報に基づいて映像処理回路５や音声処理回路４を制御する。ここで、本実施形態では映像処理回路５及びＲＡＭ９によって画像処理手段を構成し、ＣＰＵ部６によって制御手段を構成している。
【００１７】
一方、インターホン副親機２は、図３に示すようにマイクロホン２１及びスピーカ２２と、音声スイッチやエコーキャンセラ等を具備してインターホン子器３やインターホン親機１若しくは他のインターホン副親機２との間で同時通話、例えばハンズフリーの同時通話、を可能とする通話回路２３と、インターホン副親機２全体の信号処理並びに制御を担うＣＰＵ部２４と、液晶ディスプレイ及び液晶ディスプレイのドライブ回路の他に液晶ディスプレイの表示画面に設けられるタッチパネルを具備した表示装置２５と、伝送線Ｌｘを介してインターホン親機１との間で周波数多重された映像信号、音声信号及び制御信号を送受信するインタフェース回路２９と、インタフェース回路２９で受信する周波数多重された信号からＦＳＫ信号で構成された制御信号と映像信号を弁別して取り出すとともにＣＰＵ部２４で生成されたＦＳＫ信号で構成された位置座標信号をインタフェース回路２９から伝送線Ｌｘを介してインターホン親機１に伝送し、さらに取り出した映像信号を表示装置２５で表示可能な形態に変換する信号処理回路２６と、ＣＰＵ部２４で実行するプログラムを格納したＲＯＭ２７と、通話を開始する際に操作される通話釦２８ａや、表示装置２５の表示画面上にメニュー表示を行う際に操作されるメニュー表示釦２８ｂ等を有し、これらの釦が操作されたときに各々の釦に対応した操作信号をＣＰＵ部２４に出力する操作部２８とを備える。
【００１８】
ここで、インターホン親機１に対してインターホン副親機２並びにインターホン子器３を接続している信号線Ｌｓ並びに伝送線Ｌｘは電気信号を伝送する銅線や光信号を伝送する光ファイバ等である。また本実施形態では１台のインターホン親機１に複数のインターホン副親機２並びにインターホン子器３をスター配線しているが、バス配線等の他の配線形態であっても構わない。
【００１９】
次に本発明のシステムの動作を説明する。
【００２０】
まず、システムが稼働すると、待機状態に入る。この待機状態ではインターホン親機１並びに各インターホン副親機２の表示装置７，２５は何も表示されていない状態にあるが、インターホン子器３からの呼出信号検出等のトリガによって画面表示がインターホン親機１のＣＰＵ部６の制御によって開始されるようになっている。
【００２１】
この待機状態でインターホン親機１又はインターホン副親機２のメニュー表示釦８ｂ，２８ｂが操作されると、インターホン親機１のＣＰＵ部６の制御の下で、操作があったインターホン親機１又はインターホン副親機２の表示装置７又は２５が動作して図５に示す基本のメニュー画面が表示される。尚インターホン副親機２の表示装置２５の画面表示は、従来例と同様にインターホン親機１から送られてくる映像信号の再生によって行われる。このメニュー画面ではインターホン親機１の映像処理回路５で生成されたアイコンからなり本システムが備えている機能を選択するための選択釦Ｂ１〜Ｂ４が表示される。インターホン親機１において何れかの選択釦Ｂ１〜Ｂ４がタッチ操作されると、インターホン親機１のＣＰＵ部６がその座標情報を表示装置７のタッチパネルから取得する。また、インターホン副親機２において何れかの選択釦Ｂ１〜Ｂ４がタッチ操作されると、インターホン副親機２のＣＰＵ部２４がその座標情報を表示装置２５のタッチパネルから取得し、ＣＰＵ部２４から信号処理回路２６を介してＦＳＫ信号で構成された位置座標信号として伝送線Ｌｘを介してインタフェース回路２９からインターホン親機１に送信され、インターホン親機１では第２のインタフェース回路１３で受信し信号処理回路１１で弁別された位置座標信号がＣＰＵ部６に取り込まれる。そして、インターホン親機１のＣＰＵ部６では、信号処理回路１１で弁別された位置座標信号からインターホン副親機２においてタッチ操作された選択釦Ｂ１〜Ｂ４を判別することができる。
【００２２】
一方、待機状態において何れかのインターホン子器３で呼出釦が操作されて呼出信号が送信された場合、その呼出信号を呼出検出回路１４で検出したインターホン親機１のＣＰＵ部６では、まずインターホン親機１及びインターホン副親機２で各々呼出音をスピーカ１７，２２で鳴動させる処理を行うとともに、撮像部３４で撮像された来訪者の映像を表示装置７，２５に表示させ、さらに通話時に対応した機能、例えば映像通話の操作釦や録画録音の操作釦のアイコンを画面の所定位置（例えば、下部）に映し出す。また呼出元のインターホン子器３が設置されている場所を示す文字（例えば、玄関）と「呼出中」の文字も画面の所定位置（例えば、上部）に表示する。なお、この画面で映し出される映像は、インターホン親機１の映像処理回路５で生成されるアイコンや文字の画像データと、インターホン子器３から送られてくる撮像部３４の画像データとを合成した画像データによるものである。
【００２３】
さて来訪者とユーザ（家人）が通話を行う場合には、インターホン親機１又はインターホン副親機２の通話釦８ａ，２８ａを押し操作すればよく、この操作があるとインターホン親機１のＣＰＵ部６の制御の下でインターホン親機１又はインターホン副親機２とインターホン子器３との間で音声処理回路４若しくは通話回路２３を介して通話路が確立され、来訪者と家人との間の通話が可能となる。但し、インターホン子器３からの呼出に対して一定時間経過してもインターホン親機１或いはインターホン副親機２の何れにおいても通話釦８ａ，２８ａの操作が行われ無かった場合には待機状態に戻る処理がインターホン親機１のＣＰＵ部６により行われる。
【００２４】
さて、この来訪者との通話は一定時間経過するか、通話中のインターホン親機１又はインターホン副親機２で表示装置７，２５の画面上に表示される終了釦の操作が行われると、インターホン親機１のＣＰＵ部６の制御の下で待機状態に戻る。なお、上述の通話終了後に一定時間（例えば１０秒）以内に通話していたインターホン親機１又はインターホン副親機２で通話釦８ａ，２８ａの押し操作があれば、インターホン親機１のＣＰＵ部６の制御の下で、直前に通話していたインターホン子器３との通話路が再度確立されて延長通話が可能となる。
【００２５】
さて上述の呼出中に録画録音に対応する操作釦がインターホン親機１若しくはインターホン副親機２でタッチ操作されると、インターホン親機１のＣＰＵ部６の制御の下で、来訪者の静止画を記憶する録画処理と、通話音声を記憶する録音処理とが開始され、静止画データ及び通話音声データがデジタルデータとしてフラッシュＲＯＭ１５に書き込まれる。このとき、表示装置７（又は２５）の画面には録音中の文字と、日付けや時刻の文字が表示され、また日付及び時刻のデータは上記録画／録音のデータに対応してフラッシュＲＯＭ１５に書き込まれる。
【００２６】
この録画録音された静止画及び音声はメニュー画面の録画録音再生用の選択釦Ｂ１のタッチ操作で呼出した図６に示す再生操作用のメニュー画面での操作で再生させることができる。この画面では、アイコン画面の所定位置（例えば左上）に、例えば「録画録音再生」の文字が配置され、録画／録音されたデータ別に録画／録音した日付と時刻とを表示した選択釦Ｂ１０…が上下方向に配置されてそれぞれ表示される。
【００２７】
そして、ユーザである家人において図６の画面から再生したいデータがある場合には、対応する選択釦Ｂ１０…をタッチ操作すればよく、このタッチ操作があると、インターホン親機１のＣＰＵ部６では対応する録画録音のデータをフラッシュＲＯＭ１５から読み出して映像信号、音声信号に戻す処理と、選択釦Ｂ１０…のタッチ操作があったインターホン親機１或いはインターホン副親機２で再生させるための制御処理を行い、図７に示すようにインターホン親機１或いはインターホン副親機２の表示装置７，２５で静止画を、スピーカ１７，２２で音声を各々再生させる。ここで、選択された日付及び時刻に録画された静止画のデータが複数存在する場合には、図８に示すようにＣＰＵ部６ではこれら複数の静止画の縮小画像（いわゆるサムネイル）Ｇ１…を表示装置７，２５の画面に並べて表示するようになっている。そして、これら複数の縮小画像Ｇ１…の何れかをタッチ操作すれば、このタッチ操作で選択された縮小画像Ｇ１…の元の静止画が図７に示すように表示装置７又は２５の画面に単独で表示される。
【００２８】
次にモニタカメラ選択について説明する。このモニタカメラ選択の機能は、メニュー画面上のカメラモニタの選択釦Ｂ２がインターホン親機１又はインターホン副親機２でタッチ操作されることで有効となる。モニタカメラ選択の機能が働くと、インターホン親機１のＣＰＵ部６の制御の下で、インターホン親機１に信号線Ｌｓで接続されている全てのインターホン子器３から順次映像信号で送られてくる静止画のデータを一旦ＲＡＭ９に保存し、全てのインターホン子器３から静止画データを受け取った後に、これらの静止画の縮小画像が各インターホン子器３の設置場所を示す文字とともに各表示装置７，２５の画面に並べて表示（いわゆるサムネイル表示）される。そして、これら複数の縮小画像の何れかをタッチ操作すれば、このタッチ操作で選択された縮小画像の元の画像が表示装置７又は２５の画面に単独で表示される。
【００２９】
次に家人が留守の場合に来訪者を撮像した画像と音声を録音及び録画する留守録機能について説明する。
【００３０】
まず図５のメニュー画面で留守録設定用の選択釦Ｂ３をタッチ操作すると、インターホン親機１のＣＰＵ部６は留守録モードの動作状態に切り替わる。この留守録モード下でインターホン子器３からの呼出信号が検出されると、インターホン親機１のＣＰＵ部６は自動的に来訪者の録画と録音をフラッシュＲＯＭ１５にて行う。そして、家人が帰宅した場合には、メニュー画面で選択釦Ｂ３をタッチ操作することによって留守録モードを解除するが、このとき、ＣＰＵ部６では留守録された画像及び音声がある場合には図６の再生操作用のメニュー画面に切り替えて表示し、留守録された画像及び音声がない場合には図５のメニュー画面を表示する。なお、図６の再生操作用のメニュー画面で録画及び録音された画像と音声の再生を行う手順については既に説明したので説明を省略する。
【００３１】
ところで、インターホン親機１及びインターホン副親機２の表示装置７，２５では、同じ画像データの表示領域を２種類、すなわちアスペクト比が１６：９のワイド表示領域と４：３の標準表示領域とに切り替えることができるようになっている。そして、インターホン親機１とインターホン副親機２とで表示装置７，２５の表示領域の大きさが異なっている場合、インターホン副親機２からの位置座標信号で示された位置座標に対応する選択釦Ｂ１…等とインターホン親機１の表示装置７で表示されている選択釦Ｂ１…等が一致しなくなる可能性がある。そのために本実施形態では、インターホン副親機２の表示装置２５における表示領域の大きさを示す表示領域情報を位置座標情報とともにインターホン親機１に送り、インターホン親機１のＣＰＵ部６が表示領域情報を参照して位置座標を補正するようにしている。このため、インターホン親機１とインターホン副親機２で表示領域の大きさが異なっていてもタッチ操作された選択釦Ｂ１…等が誤判別されることがなく、しかもインターホン副親機２においては表示装置２５の表示領域の大きさに応じて位置座標を補正する必要がないからインターホン副親機２のＣＰＵ部２４における処理負担が軽減できる。
【００３２】
上述のように本実施形態では、インターホン副親機２の表示装置２５の画面上に表示された選択釦Ｂ１…等がタッチ操作されたときにＣＰＵ部２４がその座標を位置座標信号として伝送線Ｌｘを介してインターホン親機１に伝送し、インターホン親機１のＣＰＵ部６が受け取った位置座標信号に対応した操作指示情報に基づいて映像処理回路５を制御して表示画面の切り替えや画像の録画、再生等を行うため、インターホン副親機２ではインターホン親機１に対する操作指示情報、例えば、複数の選択釦Ｂ１…がそれぞれどのような機能と対応しているかという情報、を記憶させる必要がなく、このような操作指示情報を記憶するためのメモリの増設やメモリの容量アップに伴うコストの上昇を防ぐことができる。なお、本実施形態では位置座標入力手段としてタッチパネルを表示装置２５に設けているが、例えば、表示装置２５の画面に映し出されるカーソル（矢印等）を移動させるために十字キー等を操作部２８に設けても構わない。
【００３３】
【発明の効果】
請求項１の発明は、来訪者を撮像する撮像部を具備して宅外に設置される１乃至複数のインターホン子器と、インターホン子器で撮像された来訪者の画像を表示する表示装置を具備して宅内に設置されるインターホン親機並びに１乃至複数のインターホン副親機とで構成され、インターホン親機は、所定の画像を生成する画像生成手段と、インターホン子器で撮像された画像並びに画像生成手段で生成された画像を表示装置に表示させるとともにこれらの画像を伝送線を介してインターホン副親機に伝送する画像処理手段と、操作指示情報に基づいて画像生成手段並びに画像処理手段を制御する制御手段とを備え、インターホン副親機は、伝送線を介して送られてくる画像を表示装置に表示させる画像表示手段と、表示装置の表示画面上で任意の位置を指示するとともに指示された位置の座標を伝送線を介してインターホン親機に伝送する位置座標入力手段とを備え、インターホン親機の制御手段は、伝送線を介してインターホン副親機から送られてくる位置座標で指示された位置に対応した前記操作指示情報に基づいて画像生成手段並びに画像処理手段を制御することを特徴とし、インターホン副親機ではインターホン親機に対する操作指示情報を記憶させる必要がなく、メモリの増設やメモリの容量アップに伴うコストの上昇を防ぐことができる。
【００３４】
請求項２の発明は、請求項１の発明において、インターホン親機並びにインターホン副親機の画像処理手段は、表示装置における表示領域の大きさを変更可能であって、インターホン副親機の位置座標入力手段は、位置座標とともに表示領域の大きさを示す表示領域情報をインターホン親機に伝送し、インターホン親機の制御手段は、表示領域情報を参照して位置座標を補正することを特徴とし、インターホン副親機においては表示装置の表示領域の大きさに応じて位置座標を補正する必要がなく処理負担が軽減できる。
【００３５】
請求項３の発明は、請求項１又は２の発明において、インターホン親機並びにインターホン副親機の画像処理手段は、表示装置に対して複数の画像を縮小して一覧で表示するサムネイル表示機能を有し、インターホン副親機の位置座標入力手段は、表示されている複数の縮小画像の何れかを指示したときに当該画面上の位置座標をインターホン親機に伝送し、インターホン親機の制御手段は、インターホン副親機から送られてくる位置座標から指示された縮小画像を特定するとともに特定した縮小画像に対応した前記操作指示情報に基づいて画像生成手段並びに画像処理手段を制御することを特徴とし、インターホン親機において位置座標と操作指示情報の対応関係を判断するための処理負担が軽減できる。
【図面の簡単な説明】
【図１】本発明の実施形態の全体システム構成図である。
【図２】同上におけるインターホン親機の構成を示すブロック図である。
【図３】同上におけるインターホン副親機の構成を示すブロック図である。
【図４】同上におけるインターホン子器の構成を示すブロック図である。
【図５】同上におけるメニュー画面を表示した状態のインターホン親機及びインターホン副親機の正面図である。
【図６】同上における録画録音再生用のメニュー画面を表示した状態のインターホン親機及びインターホン副親機の正面図である。
【図７】同上における録画再生中のインターホン親機及びインターホン副親機の正面図である。
【図８】同上における縮小画像を表示した状態のインターホン親機及びインターホン副親機の正面図である。
【符号の説明】
１  インターホン親機
２  インターホン副親機
３  インターホン子器
Ｌｓ  信号線
Ｌｘ  伝送線
【図１】
2004297376.tif 000003
【図２】
2004297376.tif 000004
【図３】
2004297376.tif 000005
【図４】
2004297376.tif 000006
【図５】
2004297376.tif 000007
【図６】
2004297376.tif 000008
【図７】
2004297376.tif 000009
【図８】
2004297376.tif 000010